(57)【要約】【課題】梱包された複数本の感光体ドラムの互いの接触を効果的に防げると共に、容易に組み立てられる梱包容器及び梱包方法を提供すること。【解決手段】複数本の感光体ドラム１０を梱包する梱包容器であって、梱包容器本体２と、基部３１及び複数の位置決め突起３２を有し、複数の位置決め突起３２が上方を向くように梱包容器本体２の底面に配置される第１ドラムホルダー３と、一枚のシート状部材により構成され、複数の挿入開口５１が形成された仕切り面５２及び一対の脚部５３を有し、第１ドラムホルダー３の上部に配置される仕切り部材５と、基部４１及び複数の位置決め突起４２を有し、複数の位置決め突起４２が下方を向くように仕切り部材５の上方に配置される第２ドラムホルダー４とを備える。【選択図】図１
2012240716.tif 000002
【特許請求の範囲】
【請求項１】
複数本の円筒状の感光体ドラムを梱包する梱包容器であって、
箱状の梱包容器本体と、
シート状の基部、及び該基部の一方の面から突出する複数の位置決め突起を有し、該複数の位置決め突起が上方を向くように前記梱包容器本体の底面に配置される第１ドラムホルダーと、
一枚のシート状部材により構成され、前記感光体ドラムが挿入される複数の挿入開口が形成された仕切り面、及び該仕切り面における一対の第１側縁から該仕切り面に略直交する方向に屈曲して延びる一対の脚部を有し、前記第１ドラムホルダーの上部に配置される仕切り部材と、
シート状の基部、及び該基部の一方の面から突出する複数の位置決め突起を有し、該複数の位置決め突起が下方を向くように前記仕切り部材の上方に配置される第２ドラムホルダーと、を備える梱包容器。
【請求項２】
前記仕切り部材は、前記仕切り面における前記一対の第１側縁に直交する一対の第２側縁から該仕切り面に対して所定角度屈曲して外方に延びる一対のフラップ部を更に備える請求項１に記載の梱包容器。
【請求項３】
前記梱包容器本体の底面と前記第１ドラムホルダーとの間、及び前記第２ドラムホルダーと前記梱包容器本体の上面との間にそれぞれ配置される一対のシート状の補強材を更に備える請求項１又は２に記載の梱包容器。
【請求項４】
前記第１ドラムホルダー及び前記第２ドラムホルダーは、前記基部における前記一方の面に設けられ前記複数の位置決め突起を互いに区画するリブ部を更に備える請求項１〜３のいずれかに記載の梱包容器。
【請求項５】
複数本の円筒状の感光体ドラムの両端を、シート状の基部、及び該基部の一方の面から突出する複数の位置決め突起を有する第１ドラムホルダーと第２ドラムホルダーとの間に挟み込んで梱包容器本体の内部で固定する感光体ドラムの梱包方法であって、
一枚のシート状部材により構成され、複数の挿入開口が形成された仕切り面、及び該仕切り面における一対の第１側縁から該仕切り面に略直交する方向に屈曲して延びる一対の脚部を有する仕切り部材を、前記梱包容器本体の底面に配置された前記第１ドラムホルダーの上部に配置する工程と、
前記仕切り部材における前記複数の挿入開口に前記複数本の感光体ドラムを挿入する工程と、
前記複数本の感光体ドラムを挿入した後に、前記仕切り部材の上部に前記第２ドラムホルダーを配置する工程と、を備える感光体ドラムの梱包方法。
【発明の詳細な説明】
【技術分野】
【０００１】
本発明は、感光体ドラムの梱包容器、及び該梱包容器を用いた筒状感光体ドラムの梱包方法に関する。
【背景技術】
【０００２】
従来、表面に感光層が形成された筒状の感光体ドラムは、保護シートにより表面が被覆された状態で、複数本が梱包されて運搬及び保管される。このように、複数本の感光体ドラムを梱包する場合には、隣り合って配置される感光体ドラム間に緩衝シートを配置することで、梱包された複数本の感光体ドラムが運搬中や保管中に互いに接触して感光層が破損することを防止している。
【０００３】
また、複数のダンボールシートを組み合わせて複数の格子を形成した、格子状断面を有する間仕切りを用いて、複数本の感光体ドラムを互いに接触しないように梱包する感光体ドラムの梱包方法が提案されている（特許文献１参照）。
【先行技術文献】
【特許文献】
【０００４】
【特許文献１】特開平１０−５５０８３号公報
【発明の概要】
【発明が解決しようとする課題】
【０００５】
しかしながら、隣り合って配置される感光体ドラム間に緩衝シートを配置する梱包方法では、多量の緩衝シートを必要としてしまうと共に、緩衝シートの配置によっては、感光体ドラム同士の接触を十分に防げない場合があった。また、特許文献１で提案された梱包方法では、格子状断面を有する間仕切りを構成するために多数のダンボールシートを組み合わせる作業が必要となり、間仕切りの組み立てに多くの時間を要するという問題があった。
【０００６】
従って、本発明は、梱包された複数本の感光体ドラムの互いの接触を効果的に防げると共に、容易に組み立てられる梱包容器及び梱包方法を提供することを目的とする。
【課題を解決するための手段】
【０００７】
本発明は、複数本の円筒状の感光体ドラムを梱包する梱包容器であって、箱状の梱包容器本体と、シート状の基部、及び該基部の一方の面から突出する複数の位置決め突起を有し、該複数の位置決め突起が上方を向くように前記梱包容器本体の底面に配置される第１ドラムホルダーと、一枚のシート状部材により構成され、前記感光体ドラムが挿入される複数の挿入開口が形成された仕切り面、及び該仕切り面における一対の第１側縁から該仕切り面に略直交する方向に屈曲して延びる一対の脚部を有し、前記第１ドラムホルダーの上部に配置される仕切り部材と、シート状の基部、及び該基部の一方の面から突出する複数の位置決め突起を有し、該複数の位置決め突起が下方を向くように前記仕切り部材の上方に配置される第２ドラムホルダーと、を備える梱包容器に関する。
【０００８】
また、前記仕切り部材は、前記仕切り面における前記一対の第１側縁に直交する一対の第２側縁から該仕切り面に対して所定角度屈曲して外方に延びる一対のフラップ部を更に備えることが好ましい。
【０００９】
また、梱包容器は、前記梱包容器本体の底面と前記第１ドラムホルダーとの間、及び前記第２ドラムホルダーと前記梱包容器本体の上面との間にそれぞれ配置される一対のシート状の補強材を更に備えることが好ましい。
【００１０】
また、前記第１ドラムホルダー及び前記第２ドラムホルダーは、前記基部における前記一方の面に設けられ前記複数の位置決め突起を互いに区画するリブ部を更に備えることが好ましい。
【００１１】
また、本発明は、複数本の円筒状の感光体ドラムの両端を、シート状の基部、及び該基部の一方の面から突出する複数の位置決め突起を有する第１ドラムホルダーと第２ドラムホルダーとの間に挟み込んで梱包容器本体の内部で固定する感光体ドラムの梱包方法であって、一枚のシート状部材により構成され、複数の挿入開口が形成された仕切り面、及び該仕切り面における一対の第１側縁から該仕切り面に略直交する方向に屈曲して延びる一対の脚部を有する仕切り部材を、前記梱包容器本体の底面に配置された前記第１ドラムホルダーの上部に配置する工程と、前記仕切り部材における前記複数の挿入開口に複数本の感光体ドラムを挿入する工程と、前記複数本の感光体ドラムを挿入した後に、前記仕切り部材の上部に前記第２ドラムホルダーを配置する工程と、を備える。
【発明の効果】
【００１２】
本発明によれば、梱包された複数本の感光体ドラムの互いの接触を効果的に防げると共に、容易に組み立てられる梱包容器及び梱包方法を提供できる。
【図面の簡単な説明】
【００１３】
【図１】本発明の感光体ドラムの梱包容器を示す分解斜視図である。
【図２】ドラムホルダーの平面図である。
【図３】図２のＡ−Ａ線断面図である。
【図４】仕切り部材の展開平面図である。
【図５】仕切り部材の断面図であり、図１のＢ−Ｂ線断面を示す図である。
【図６】仕切り部材の断面図であり、図１のＣ−Ｃ線断面を示す図である。
【図７】複数本の感光体ドラムが梱包された梱包容器の断面図であり、図１のＣ−Ｃ線断面に対応する図である。
【発明を実施するための形態】
【００１４】
以下、本発明の好ましい一実施形態について、図面を参照しながら説明する。
本発明の梱包容器１は、図１に示すように、両端部にフランジが挿入されていない円筒状の感光体ドラム１０を複数本梱包する場合に用いられる。感光体ドラム１０は、円筒状の基体と、この基体の表面に設けられた感光層とを含んで構成される（いずれも図示せず）。この感光体ドラム１０は、感光層の損傷を防ぐため、保護シート１１により感光層が被覆された状態で梱包される。
【００１５】
本実施形態の梱包容器１は、図１に示すように、梱包容器本体２と、第１ドラムホルダー３と、仕切り部材５と、第２ドラムホルダー４と、一対のシート状の補強材６と、を備える。
梱包容器本体２は、ダンボール等の紙材により箱状に構成される。本実施形態では、梱包容器本体２は、底面及び上面が開閉可能な蓋部材により構成された平面視略正方形の直方体形状のダンボール箱により構成される。
【００１６】
第１ドラムホルダー３は、図１及び図２に示すように、シート状の基部３１と、この基部３１から突出する複数の位置決め突起３２と、これら複数の位置決め突起３２を区画するリブ部３３と、を備える。
基部３１は、平面視において略正方形状に形成される。基部３１の一辺の長さは、梱包容器本体２の底面の内寸よりも若干短く構成される。
複数の位置決め突起３２は、図３に示すように、基部３１の一方の面から突出し、円錐状に形成される。複数の位置決め突起３２は、図２に示すように、基部３１の対角線に沿う方向に隣り合って配置される位置決め突起３２との距離が最短となるように、互いに一定の間隔をあけて千鳥状に配置される。また、複数の位置決め突起３２の最大径部分の大きさは、円筒状の感光体ドラム１０の端面の内径よりも小さく構成される（図７参照）。
【００１７】
リブ部３３は、図２及び図３に示すように、基部３１の一方の面から突出して設けられ、複数の位置決め突起３２を互いに区画する。本実施形態では、リブ部３３は、隣り合って配置される２つの位置決め突起３２の中間部分をつなぐように、基部３１の対角線に沿う方向に延び、格子状に設けられる。また、リブ部３３は、基部３１の周縁にも設けられる。
【００１８】
以上の第１ドラムホルダー３は、図１に示すように、複数の位置決め突起３２及びリブ部３３が上方を向くように、梱包容器本体２の底面に配置される。
第１ドラムホルダー３は、ポリエチレンテレフタレート（ＰＥＴ）等の合成樹脂をシート状に成形した樹脂シートを真空成形することにより、基部３１、複数の位置決め突起３２及びリブ部３３が一体的に形成される。
【００１９】
仕切り部材５は、図１及び図４に示すように、一枚のシート状部材であるダンボール等の紙材が折り曲げられて構成される。この仕切り部材５は、図１、図４及び図５に示すように、複数の円形の挿入開口５１が形成された仕切り面５２と、一対の脚部５３と、一対のフラップ部５４と、を備える。
仕切り面５２は、図４に示すように、一対の第１側縁５２１及び一対の第２側縁５２２を有する略正方形状に形成される。この仕切り面５２は、第１ドラムホルダー３と略同じ大きさに形成される。
【００２０】
複数の挿入開口５１は、図４に示すように、仕切り面５２の対角線に沿う方向に隣り合って配置される挿入開口５１との距離が最短となるように、互いに一定の間隔をあけて千鳥状に配置される。これら複数の挿入開口５１それぞれには、感光体ドラム１０が挿入される。複数の挿入開口５１の直径Ｒ１は、感光体ドラム１０の外径Ｒ２よりも大きく構成される（図７参照）。具体的には、複数の挿入開口５１の直径Ｒ１は、感光体ドラム１０を挿入した場合に感光体ドラム１０の周面と仕切り面５２とを接触しにくくする観点、及び感光体ドラム１０が若干傾いた状態で挿入開口５１に挿入された場合に、傾いて挿入された感光体ドラム１０を支持すると共に、傾いた状態からでも自立しやすくする観点から、感光体ドラム１０の外径Ｒ２の１３０％〜１８０％であることが好ましい。
【００２１】
一対の脚部５３は、図１及び図５に示すように、仕切り面５２の一対の第１側縁５２１から仕切り面５２に略直交する方向に屈曲して延びる。より具体的には、一対の脚部５３は、図４に示すように、シート状部材における仕切り面５２の一対の第１側縁５２１から延出した部分により構成される。そして、延出したシート状部材が一対の第１側縁５２１において、略９０度屈曲されて一対の脚部５３が構成されている。
一対の脚部５３の幅は、図４に示すように、基端部側（第１側縁５２１）側から先端部側に向かって徐々に狭く構成される。
一対の脚部５３の高さＨ１は、挿入開口５１に挿入された感光体ドラム１０を好適に支持する観点から、感光体ドラム１０の高さＨ２（図７参照）の７０％〜９５％であることが好ましい。
【００２２】
また、上記複数の挿入開口５１の直径Ｒ１と上記感光体ドラム１０の外径Ｒ２の関係、及び、上記一対の脚部５３の高さＨ１と上記感光体ドラム１０の高さＨ２の関係により、感光体ドラム１０の倒れ角度が規制され、後述の第２ドラムホルダー４の複数の位置決め突起４２は、複数の感光体ドラム１０それぞれの上端部に容易に挿入することができる。
【００２３】
一対のフラップ部５４は、図６に示すように、仕切り面５２の一対の第２側縁５２２から仕切り面５２に対して所定角度屈曲して外方に延びる。より具体的には、一対のフラップ部５４は、図４に示すように、シート状部材における仕切り面５２の一対の第２側縁５２２から延出した部分により構成される。そして、延出したシート状部材が一対の第２側縁５２２において、一対の脚部５３とは反対側に屈曲されて一対のフラップ部５４が構成されている。
【００２４】
以上の仕切り部材５は、図１に示すように、一対の脚部５３が第１ドラムホルダー３側を向くように、第１ドラムホルダー３の上部に配置される。
【００２５】
第２ドラムホルダー４は、図１〜図３に示すように、第１ドラムホルダー３と同一の構成を備える。即ち、第２ドラムホルダー４は、シート状の基部４１と、この基部４１から突出する複数の位置決め突起４２と、これら複数の位置決め突起４２を区画するリブ部４３と、を備える。
第２ドラムホルダー４は、図１に示すように、複数の位置決め突起４２及びリブ部４３が下方を向くように、複数の挿入開口５１に複数本の感光体ドラム１０が挿入された仕切り部材５の上方に配置される。
【００２６】
一対のシート状の補強材６は、図１に示すように、梱包容器本体２の底面と第１ドラムホルダー３との間、及び第２ドラムホルダー４と梱包容器本体２の上面との間にそれぞれ配置される。補強材６は、ダンボール等の紙材により構成され、第１ドラムホルダー３及び第２ドラムホルダー４を補強する。
【００２７】
次に、以上説明した梱包容器１を用いて複数本の感光体ドラム１０を梱包する感光体ドラム１０の梱包方法について、説明する。
本実施形態の梱包容器１を用いた感光体ドラム１０の梱包方法では、図７に示すように、梱包容器本体２の内部において、複数本の感光体ドラムの両端が、第１ドラムホルダー３と第２ドラムホルダー４との間に挟み込まれて固定される。
【００２８】
より具体的には、感光体ドラム１０の梱包方法は、梱包容器本体２の底面に補強材６及び第１ドラムホルダー３を配置する第１工程と、第１ドラムホルダー３の上部に仕切り部材５を配置する第２工程と、仕切り部材５における複数の挿入開口５１に複数本の感光体ドラム１０を挿入する第３工程と、複数の挿入開口５１に複数本の感光体ドラム１０を挿入した後に、仕切り部材５の上部に第２ドラムホルダー４を配置する第４工程と、第２ドラムホルダー４の上部に補強材６を配置する第５工程と、梱包容器本体２の上面を閉じる第６工程と、を備える。
【００２９】
第１工程では、梱包容器本体２の底面に、補強材６が配置され、この補強材６の上面に第１ドラムホルダー３が配置される。ここで、第１ドラムホルダー３は、図１に示すように、複数の位置決め突起３２及びリブ部３３が上方を向くように、梱包容器本体２の底面に配置される。
【００３０】
第２工程では、第１ドラムホルダー３の上部に、仕切り部材５が配置される。より具体的には、仕切り部材５は、一対の脚部５３が第１ドラムホルダー３側を向くように、第１ドラムホルダー３の上部に配置される。ここで、第１ドラムホルダー３の基部３１及び仕切り部材５の仕切り面５２は、略同じ大きさの正方形状に構成され、また、仕切り面５２において形成された複数の挿入開口５１の配置パターンは、第１ドラムホルダー３における複数の位置決め突起３２の配置パターンと同一となっている。これにより、複数の挿入開口５１の位置は、梱包容器１の高さ方向から視て、複数の位置決め突起３２の位置と一致する位置に配置される。
また、本実施形態においては、一対のフラップ部５４が仕切り面５２の一対の第２側縁５２２から外方に延びている。これにより、仕切り部材５は、図７に示すように、一対のフラップ部５４が梱包容器本体２の内側面に押し付けられるように配置されるので、仕切り部材５が梱包容器本体２の内部でがたつきにくい。
【００３１】
第３工程では、仕切り部材５における複数の挿入開口５１に複数本の感光体ドラム１０が挿入される。ここで、上述のように、複数の挿入開口５１の位置は、梱包容器１の高さ方向から視て、複数の位置決め突起３２の位置と一致する位置に配置されている。これにより、挿入開口５１から挿入された感光体ドラム１０の下端部は、対応して配置される位置決め突起３２及び位置決め突起３２の周囲に設けられたリブ部３３により好適な位置に誘導され、位置決めされる。また、挿入開口５１に挿入された感光体ドラム１０は、仕切り部材５により起立状態が好適に維持される。
【００３２】
第４工程では、複数本の感光体ドラム１０が挿入された仕切り部材５の上部に第２ドラムホルダー４が配置される。より具体的には、第２ドラムホルダー４は、複数の位置決め突起４２及びリブ部４３が下方を向くように配置される。ここで、第２ドラムホルダー４は、第１ドラムホルダー３と同一の構成を備えている。これにより、第２ドラムホルダー４の複数の位置決め突起４２は、複数の感光体ドラム１０それぞれの上端部に容易に挿入される。
【００３３】
第５工程では、第２ドラムホルダー４の上部に補強材６が配置される。
第６工程では、梱包容器本体２の上面を構成する蓋材が閉じられ、梱包が完了する。
【００３４】
以上説明した本実施形態の梱包容器１及びこの梱包容器１を用いた感光体ドラム１０の梱包方法によれば、以下のような効果を奏する。
【００３５】
（１）梱包容器１を、複数の位置決め突起３２を有する第１ドラムホルダー３と、複数の位置決め突起４２を有する第２ドラムホルダー４と、これら第１ドラムホルダー３と第２ドラムホルダー４との間に配置される仕切り部材５と、を含んで構成し、この仕切り部材５を、一枚のシート状部材により、複数の挿入開口５１が形成された仕切り面５２及び一対の脚部５３を含んで構成した。これにより、一枚のシート状部材を折り曲げることで仕切り部材５を構成できるので、仕切り部材５を容易に組み立てられる。
また、複数の挿入開口５１の配置パターンを、第１ドラムホルダー３における複数の位置決め突起３２の配置パターン及び第２ドラムホルダー４における複数の位置決め突起４２の配置パターンと一致させた。これにより、梱包容器本体２に感光体ドラム１０を収容して梱包する場合に、複数の挿入開口５１に挿入された複数の感光体ドラム１０それぞれの上端部及び下端部を、位置決め突起３２，４２により、好適な位置に誘導できる。よって、複数本の感光体ドラム１０を、第１ドラムホルダー３及び第２ドラムホルダー４により好適な位置で挟み込んで固定できるので、梱包された複数本の感光体ドラム１０の互いの接触を効果的に防げる。
【００３６】
（２）仕切り部材５を、仕切り面５２の外方に延びる一対のフラップ部５４を含んで構成した。これにより、仕切り部材５を、一対のフラップ部５４が梱包容器本体２の内側面に押し付けられるように配置できるので、仕切り部材５が梱包容器本体２の内部でがたつきにくい。
【００３７】
（３）梱包容器１を、一対の補強材６を含んで構成した。これにより、一対の補強材６により梱包容器本体２の底面近傍及び上面近傍の剛性を向上できるので、第１ドラムホルダー３及び第２ドラムホルダー４を薄く構成できる。よって、梱包容器１の製造コストを低減できる。
【００３８】
（４）第１ドラムホルダー３及び第２ドラムホルダー４を、リブ部３３，４３を含んで構成した。これにより、複数の位置決め突起３２，４２のみでなく、リブ部３３，４３によっても感光体ドラム１０の下端部又は上端部を、好適な位置に誘導できるので、梱包容器１に梱包される感光体ドラム１０の位置決めをより正確に行える。また、第１ドラムホルダー３及び第２ドラムホルダー４の剛性を向上させられる。
【００３９】
（５）一対の脚部５３の幅を、基端部側から先端部側に向かって徐々に狭くなるように構成した。よって、梱包容器本体２の内部に仕切り部材５をより容易に配置できる。
【００４０】
（６）複数の挿入開口５１の直径Ｒ１を、感光体ドラム１０の外径Ｒ２の１３０％〜１８０％とした。これにより、挿入開口５１に感光体ドラム１０を挿入する場合に、仕切り部材５（仕切り面５２）に感光体ドラム１０が接触しにくいので、感光層の損傷を防げる。また、感光体ドラム１０が多少傾いた状態で挿入開口５１に挿入された場合であっても、挿入された感光体ドラム１０が過度に傾くことを防げる。よって、複数の挿入開口５１に挿入された複数本の感光体ドラム１０が互いに接触することを防げる。
【００４１】
以上、本発明の好ましい一実施形態について説明したが、本発明は、上述した実施形態に制限されるものではなく、適宜変更が可能である。
例えば、本実施形態では、第１ドラムホルダー３及び第２ドラムホルダー４を、樹脂シートにより構成したが、これに限らない。即ち、第１ドラムホルダー及び第２ドラムホルダーを、ダンボール材やパルプモールド材により構成してもよい。
【符号の説明】
【００４２】
１……梱包容器、２……梱包容器本体、３……第１ドラムホルダー、４……第２ドラムホルダー、５……仕切り部材、６……補強材、１０……感光体ドラム、３１、４１……基部、３２、４２……位置決め突起、３３、４３……リブ部、５１……挿入開口、５２……仕切り面、５３……脚部、５４……フラップ部、５２１……第１側縁、５２２……第２側縁
【図１】
2012240716.tif 000003
【図２】
2012240716.tif 000004
【図３】
2012240716.tif 000005
【図４】
2012240716.tif 000006
【図５】
2012240716.tif 000007
【図６】
2012240716.tif 000008
【図７】
2012240716.tif 000009